(57)【要約】【課題】  柔軟に曲げることができるケーブルを使用する錠装置では、ケーブルを錠装置本体から完全に取り外すことができないため、ケーブルの交換ができない。【解決方法】  キーシリンダーが一箇所の錠装置本体において、キーを開錠位置に回した場合、柔軟に曲げることができるケーブルの両端の固定端子をいずれも抜き去ることができ、ケーブルの交換を可能にした。また、ケーブルの一端の固定端子のみを外す場合とケーブルの両端の固定端子を外す場合を任意で選択でき、通常使用における施錠の場合でもケーブルの交換の場合でも簡単な操作で可能とした。【選択図】    図１
2006063776.tif 000002
【特許請求の範囲】
【請求項１】
二輪車等の盗難防止用に利用されるケーブル錠で、錠装置本体に一箇所のキーシリンダーを有し、キーを開錠位置に回転させた場合、柔軟に曲げることができるケーブルの両端の固定端子をいずれも抜き去ることができ、ケーブルの交換を可能とした錠装置。
【請求項２】
開錠時、キーの回転角度により、ケーブルの一端の固定端子のみを外す場合と、ケーブルの両端の固定端子を外す場合を任意で選択できる請求項１の錠装置。
【請求項３】
開錠時、キーを開錠位置にするとケーブルの一端の固定端子が外れ、キーを開錠位置にしたまま、錠装置本体に設けられた押しボタンを押すことでケーブルのもう一端の固定端子を外すことができる請求項１の錠装置。
【請求項４】
開錠時、キーを開錠位置にするとケーブルの一端の固定端子が外れ、キーを開錠位置にしたまま、錠装置本体に設けられた取っ手を回転させることでケーブルのもう一端の固定端子を外すことができる請求項１の錠装置。
【発明の詳細な説明】
【技術分野】
【０００１】  本発明は、二輪車等の盗難防止用に利用されるケーブル錠などで、一箇所のキーシリンダーを有した錠装置本体で、キーが開錠位置にある場合、柔軟に曲げることができるケーブルの両端の固定端子をいずれも抜き去ることができ、ケーブルの交換を可能とし、またケーブルの一端の固定端子のみを外す場合とケーブルの両端の固定端子を外す場合を任意で選択できる錠装置に関する。
【背景技術】
【０００２】  一般に二輪車等の盗難防止用に使用されるケーブル錠は、施開錠の際にケーブルの一端の固定端子を抜き差しするが、もう片方のケーブルの端は錠装置本体に仮締めるなどして固定されているため、ケーブルを錠装置本体から取り外すことができず、ケーブルを交換することが不可能であった。【０００３】  丸棒形の金属材をＵ字型に曲げたＵ字シャックル型錠装置では、錠装置本体とＵ字型のアーム部の嵌合により施錠するものがあり、この方式の錠装置では錠装置本体とアーム部の取り外しができるが、これは、Ｕ字型のアームが堅い金属であるため両端を固定する必要がなく、一端に施錠機構があるが、もう一端は単なる孔に挿入するだけであった。
【発明が解決しようとする課題】
【０００４】  柔軟に曲げることができるケーブルを使用する錠装置において、ケーブルを錠装置本体から完全に取り外すことができないため、長さや太さの異なるケーブルに交換することができず、用途により別の錠前を買い求めなくてはならず、キーの種類も増えてしまい、管理も大変であった。
【０００５】  従来の技術の欄で述べたＵ字シャックル型錠装置のように、両端が一度に外れてしまうと開錠時にバラバラになり、片方の手で本体を持ち、もう片方の手でキーを掴み開錠する動作をした場合、ケーブルが外れ落ちてしまい、ケーブルを交換する時以外は施錠時にも手間が掛かり、使い勝手が悪い。
【０００６】  本発明は、二輪車等の盗難防止用に使用されるケーブル錠において、上記の問題点を解決するため、キーシリンダーが一箇所の錠装置本体で、キーが開錠位置にある場合、柔軟に曲げることができるケーブルの両端の固定端子をいずれも抜き去ることができ、ケーブルの交換を可能とし、またケーブルの一端の固定端子のみを外す場合とケーブルの両端の固定端子を外す場合を任意で選択できる錠装置の提供を目的とする。
【課題を解決する為の手段】
【０００７】  本発明の錠装置は、キーシリンダーが一箇所の錠装置本体でありながら、キーを開錠位置に回転させた場合、柔軟に曲げることができるケーブルの両端の固定端子をいずれも抜き去ることができ、ケーブルの交換を可能とした。
【０００８】  さらに、本発明の錠装置は、開錠時、キーの回転角度により、ケーブルの一端の固定端子のみを外す場合と、ケーブルの両端の固定端子を外す場合を任意で選択できるようにした。
【０００９】  一方、開錠時、キーを開錠位置にするとケーブルの一端が外れ、キーを開錠位置にしたまま、錠装置本体に取り付けられた押しボタンを押すか、あるいは錠装置本体に取り付けられた取っ手を回転させることで、ケーブルのもう一端の固定端子を外すことを可能とした。
【発明の効果】
【００１０】  ケーブルを錠装置本体から取り外すことができるため、長さや太さの異なるケーブルに交換することができるため、用途が替わっても別の錠前を買い求める必要がなくなり、またキーも一種類なのでキーの管理も容易になった。
【００１１】  開錠時、キーの回転角度によりケーブルの一端の固定端子のみを外す場合とケーブルの両端の固定端子を外す場合を任意で選択できるようにしたため、ケーブルを交換する時以外の通常の施開錠の際は、ケーブルの一端の固定端子のみを外すことができるため、錠装置本体とケーブルがその都度外れてバラバラになってしまうことがなく、施開錠時に手間が掛からず、使い勝手がよい。
【発明を実施するための形態】
【００１２】  以下に、本発明の錠装置について、実施例毎に図面を参考にしながら詳細に説明をする。
［実施形態１］
図２は、実施形態１の施錠された状態での錠装置本体正面の断面図であるが、錠装置本体のキーシリンダー７の上部にリターンスプリング４を介して係着されるカム３を有し、ケーブル９の両端のそれぞれの固定端子１ａ〜１ｂの溝１ｃに端子固定ロッド２ａ〜２ｂがカム３に押し出される状態で嵌り、固定状態を保持している。ケーブル９の両端に固定端子を有するため、二ヶ所の固定端子孔１５があり、それぞれ固定端子押し上げ座５を有し、その下部に押し上げスプリング６が嵌め込まれている。
【００１３】  図３（ａ）は、施錠された状態での錠装置本体の平面の断面図であるが、施錠状態ではカム３の位置は長大面で両端の端子固定ロッド２に接しており、ケーブル９の固定端子１ａ〜１ｂの溝１ｃに端子固定ロッド２ａ〜２ｂが押接している。
キーシリンダー７に適合したキー８を挿し込み、回転させると、図３（ｂ）のようにカム３が同方向に回転し、２５度から３５度回転させると端子固定ロッド１ａに押接するカム３の位置が、幅の広い位置から幅の狭い位置に移動し、端子固定ロッド２ａが押接状態から解除され、押し上げスプリング６により押し上げられている固定端子１ａが自動的に抜け外れる。この位置からキー８を回転させなければ、もう一端の固定端子１ｂの固定状態はそのままである。
【００１４】  さらに、４０度から５０度キーを回転させると図３（ｃ）のように端子固定ロッド２ｂに押接するカム３の位置が幅の狭い位置に移動するので、端子固定ロッド２ｂの押接状態が解除され，押し上げスプリング６により押し上げられているもう一端の固定端子１ｂが自動的に抜け外れ、ケーブル９を錠装置本体から完全に取り外した状態となる。
【００１５】  ケーブル９を取り付ける場合は、まず固定端子１ｂを錠装置本体の固定端子孔１５ｂに挿し込むと端子固定ロッド２ｂが固定端子１ｂの溝１ｃに突き出てきて固定される。端子固定ロッド２ｂに押接するカム３は、開錠方向と反対方向にリターンスプリング４にて常に押し戻される力が働いており、端子固定ロッド２ｂは開錠状態でも外側に押し出されているが、固定端子孔１５ｂの中の端子固定ロッド飛び出し穴１５ｃは、固定端子押し上げ座５により塞がれているために端子固定ロッド２ｂは突き出てこないため、開錠状態ではカム３は戻ることができない。固定端子１ｂを挿し込み、一端が固定された場合は、カム３が前項の固定端子１ａのみが開錠状態の位置であるキー８を２５度から３５度回転させた図３（ｂ）の位置まで戻り、さらに固定端子１ａを固定端子孔１５ａに挿し込むとカムは最初の施錠状態の図３（ａ）の位置までリターンスプリング４の力により戻される。
【００１６】［実施形態２］
図４は、実施形態２の施錠された状態での錠装置本体の正面の断面図であるが、錠装置本体のキーシリンダー７の上部にリターンスプリング４を介して係着されるカム３を有し、ケーブル９の一端の固定端子１ａはカム３にて端子固定球１０が押し出される状態で固定端子１ａの溝１ｃに嵌り、固定状態を保持している。また、もう一端の固定端子１ｂは、端子固定板１１がカム３に押し出される状態で固定端子１ｂの溝１ｃに嵌り、固定状態を保持している。
【００１７】  図５（ａ）は、施錠された状態での錠装置本体の平面の断面図であるが、施錠状態では、カム３の位置は固定端子１ａの側では端子固定球１０を押し出し、固定端子１ｂの側では端子固定板１１を押し出し、それぞれ固定状態を保持している。
キーシリンダー７に適合したキー８を挿し込み回転させると、図５（ｂ）のようにカム３が同方向に回転し、３０度から４０度回転させるとカムの端子固定球逃げ穴３ａの位置が端子固定球１０の位置に移動し、端子固定球１０が押接状態から解除され、押し上げスプリング１２により押し上げられている固定端子１ａは自動的に抜け外れる。
【００１８】  前項の状態で、図５（ｃ）のように、錠装置本体の収納外筒１６の一端に設けられた押しボタン１３を押すことにより、固定端子１ｂの溝１ｃに嵌っている端子固定板１１が押し戻され、固定端子１ｂの溝１ｃから外れ、固定端子１ｂは抜け外れ、ケーブル９を錠装置本体から完全に取り外した状態となる。端子固定板１１は、押し戻しスプリング１２にて固定端子側に常に押接されており、キー８を開錠位置に回転させ、カム３が３０度から４０度回転した位置ではカム３の幅の狭い位置が端子固定板１１の位置に移動し、押接状態が解除されるので、この状態でのみ押しボタン１３を押すことができ、端子固定板１１を押し戻し、固定端子１ｂを固定状態から解除できる。
【００１９】  ケーブル９を取り付ける場合は、まずケーブル９の一端の固定端子１ｂを錠装置本体の固定端子孔１５ｂに挿し込むと、端子固定板１１が固定端子１ｂの頭で押され、一瞬後退した後、固定端子１ｂが深く挿し込まれると溝１ｃの位置に端子固定板１１が押し戻しスプリング１２により固定端子側に押し返され、固定状態となる。
【００２０】  前項の状態で、固定端子１ａを錠装置本体の固定端子孔１５ａに挿し込むと端子固定球１０が固定端子１ａの溝１ｃに突き出てきて固定端子１ａが固定状態となる。端子固定球１０に押接するカム３は、開錠方向と反対方向にリターンスプリング４にて常に押し戻される力が働いており、端子固定球１０は開錠状態でも外側に押し出される力が働いているが、固定端子孔１５ａの端子固定球１０の飛び出し穴１５ｃは、固定端子押し上げ座５により塞がれているので端子固定球１０３は突き出てこないため、開錠状態ではカムは施錠状態の位置へ戻ることができないが、固定端子１ａを挿し込み、端子固定球１０が突き出でくると、カム３は施錠状態の位置へ戻ることができ、端子固定球逃げ穴３ａは施錠状態の位置に移動し、端子固定球１０がカム３の長大面にて押接され固定状態を保持する。
【００２１】［実施形態３］
図６は、実施形態３の施錠された状態での錠装置本体の正面の断面図であり、図７は、錠装置本体の平面の断面図であるが、実施方法２と異なる点は、固定端子１ｂを固定する端子固定板１１の可動を、押しボタン１３の変わりに取っ手１４を用い、錠装置本体の収納外筒１６の一端に設けられた取っ手１４を回転させることにより、取っ手１４の内側のカム状突起１４ａにて端子固定板１１の押し戻しをする機構である。
【００２２】  キーシリンダー７に適合したキー８を挿し込み、キー８を回転させ固定端子１ａの固定を解除した位置のまま、図７（ｃ）のように、錠装置本体の一端に設けられた取っ手１４を回転させると、取っ手１４の内側のカム状突起１４ａが端子固定板１１を押し戻し、固定端子１ｂの溝１ｃより端子固定板１１が外れ、ケーブル９を錠装置本体から完全に取り外した状態となる。
【図面の簡単な説明】
【図１】本発明の施錠状態、開錠状態およびケーブルを取り外した状態を示す外観図である。
【図２】本発明の実施形態１の構造およびケーブルを取り外す手順を示す正面の断面図である。
【図３】本発明の実施形態１のケーブルを取り外す手順を示す平面断面での説明図である。
【図４】本発明の実施形態２の構造およびケーブルを取り外す手順を示す正面の断面図である。
【図５】本発明の実施形態２のケーブルを取り外す手順を示す平面断面での説明図である。
【図６】本発明の実施形態３の構造およびケーブルを取り外す手順を示す正面の断面図である。
【図７】本発明の実施形態３のケーブルを取り外す手順を示す平面断面での説明図である。
【図８】本発明の実施形態１の構造を示す分解図である。
【図９】本発明の実施形態２の構造を示す分解図である。
【図１０】本発明の実施形態３の構造を示す分解図である。
【符号の説明】
１    固定端子
１ａ  固定端子
１ｂ  固定端子
１ｃ  溝
２    端子固定ロッド
２ａ  端子固定ロッド
２ｂ  端子固定ロッド
３    カム
３ａ  端子固定球逃げ穴
４    リターンスプリング
５    固定端子押し上げ座
６    押し上げスプリング
７    キーシリンダー
８    キー
９    ケーブル
１０  端子固定球
１１  端子固定板
１２  押し戻しスプリング
１３  押しボタン
１４  取っ手
１４ａ  カム状突起
１５  固定端子孔
１５ａ  固定端子孔
１５ｂ  固定端子孔
１６  収納外筒
【図１】
2006063776.tif 000003
【図２】
2006063776.tif 000004
【図３】
2006063776.tif 000005
【図４】
2006063776.tif 000006
【図５】
2006063776.tif 000007
【図６】
2006063776.tif 000008
【図７】
2006063776.tif 000009
【図８】
2006063776.tif 000010
【図９】
2006063776.tif 000011
【図１０】
2006063776.tif 000012